(57)【要約】 【課題】信号線（配線）Ｓの存在が、可動片の移動を阻害しないこと。【解決手段】ドア側に取り付けられる錠前の係合部材に対して戸枠側に嵌め込まれる受け金具を前提とし、また、該受け金具の側壁に固定され配線用パッキンであって、前記受け金具は、少なくとも前記側壁に前記配線可動用の案内長孔或いは案内切欠を有するトロヨケと、該トロヨケの開口部に設けられるストライクと、トロヨケ内に配設されると共に前記係合部材の進入信号を取得する信号検出手段を備え、さらに、パッキンは、前記側壁の外面に固定され、かつ、前記配線の可動を許容するスリットを有するシート状の弾性体であること。【選択図】図１
2008008064.tif 000002
【特許請求の範囲】
【請求項１】
ドア側に取り付けられる錠前の係合部材に対して戸枠側に嵌め込まれる受け金具を前提とし、また、該受け金具の側壁に固定され配線用パッキンであって、前記受け金具は、少なくとも前記側壁に前記配線可動用の案内長孔或いは案内切欠を有するトロヨケと、該トロヨケの開口部に設けられるストライクと、トロヨケ内に配設されると共に前記係合部材の進入信号を取得する信号検出手段を備え、さらに、前記パッキンは、前記側壁の外面に固定され、かつ、前記配線の可動を許容するスリットを有するシート状の弾性体であることを特徴とする受け金具における配線用パッキン。
【請求項２】
請求項１に於いて、スリットには、一組の弾性変位可能な挟持部分が設けられていることを特徴とする受け金具における配線用パッキン。
【請求項３】
請求項１に於いて、ストライクは、可動型であり、端部にトロヨケの内面をスライドする保持片を有し、該保持片には、信号線を案内する挿通孔が形成されていることを特徴とする受け金具における配線用パッキン。
【請求項４】
請求項１に於いて、信号検出手段は、トロヨケの後方開口を有する底壁に固定される取付けベース板に設けられていることを特徴とするドア用錠受け金具における配線用パッキン。
【発明の詳細な説明】
【技術分野】
【０００１】
本発明は、受け金具における配線用パッキンに関し、特に、ドア側に取り付けられる錠前の係合部材に対して、戸枠側に嵌め込まれる受け金具を前提として、該受け金具の側壁にコードブッシュと称される配線案内部材が設けられている受け金具における配線用パッキンに関する。
【背景技術】
【０００２】
まず、特許文献１には、配線案内部材の一例が開示されている。普通一般に、配線案内部材は、特許文献１の図１に記載されているように、信号線、電気配線などのコード（線材）を箱体（筐体）の側壁に形成した貫通孔を介して保持する場合、挿通コードを保持する筒状タイプのコードブッシュが用いられる。この種のコードホルダーは、普通一般に、「ブッシュ」と称され、前記箱体（筐体）の側壁の貫通孔を介して所定位置に固定的に取り付けられている。したがって、ブッシュに保持されたコードは、側壁の左右又は上下方向に可動することはできない。
【０００３】
次に、特許文献２には、「側壁（たとえば垂直底面）に配線用の孔を有するトロヨケと、該トロヨケの開口部に設けられた固定ストライクと、トロヨケ内に配設されると共に、係合部材の進入信号（閉扉信号）を取得する信号検出手段（たとえば可動接片を有するマイクロスイッチ）を備え、前記側壁の孔に固定的に取り付けられた配線用の筒状ブッシュとから成る受け金具」が開示されている。
【０００４】
さらに、特許文献３等には、「戸先が戸枠に衝突した際に、係合部材の進入信号を取得するためのスイッチのオン・オフ機構をトロヨケの内部に配設する事項」が記載されている。この特許文献３には特に図示していないが、側壁（たとえば一側壁）に配線用の孔を有するトロヨケと、該トロヨケの開口部に設けられた可動型定ストライクと、トロヨケ内に配設されると共に、係合部材の進入信号を取得する信号検出手段（たとえばマイクロスイッチ）を備えた受け金具の場合にも、特許文献１に記載したような筒状タイプのコードホルダーが所定箇所に固定的に設けられる。
【０００５】
したがって、受け金具の前面板に相当するストライクが、固定型（特許文献２型）であれ、又は可動型（特許文献３、４型）であれ、信号検出手段に接続された信号線は、トロヨケの所定箇所に固定的に設けられた筒状ブッシュを介して外部へと案内されることから、発明の所要の目的で、トロヨケ内に配設され、かつ、筒状ブッシュ付近を移動する部材（たとえば調整板、スライド板、可動型ストライクの保持板など）が存在する場合には、トロヨケ内の信号線が邪魔になるという問題がある。
【０００６】
そこで、ドアラッチの係合面を受け止めかつドアと戸あたりとの隙間を調整するためのスライドボックス（たとえば特開平７−１５８３２５号公報に記載のスライドボックス２１）、可動型ストライクを構成する可動コアの端部に設けられた保持片（非特許文献４の保持片８）などの可動片がトロヨケの内面に沿って、或いは一側内面側に若干移動しても問題がない（たとえば信号線が可動片の移動する方向に移動する）受け金具における配線用パッキンの出現が要望されている。
【０００７】
なお、特許文献２に記載の発明は、錠前の施錠信号を収得するためのマイクロスイッチは、ケース状のトロヨケの前端開口から支持片、固着具等を介して取付けることから、その取付けや部品交換が非常に面倒であるという問題がある。
【０００８】
一方、特許文献３に記載の発明は、トロヨケの内部にスイッチ機構を配設する場合、該スイッチ機構を構成するマイクロスイッチ、支持片、固着具等がトロヨケの内部を占有することにより、可動ストライクの後退動を妨げる障害部材にならないように取付け工夫をすることが望まれる。
【特許文献１】特開平１１−３４１６４５号公報
【特許文献２】実公昭４８−５６５５号公報
【特許文献３】特許公開２００５−９１７５号公報
【非特許文献４】特願２００６−３２０４７号
【発明の開示】
【発明が解決しようとする課題】
【０００９】
本発明の初期の目的は、トロヨケ内の可動部材或いは可動片が所定方向へ移動する際、トロヨケ内に位置する信号検出手段用の信号線（配線）が、その移動を阻害しないことである。二次的には、サッシ型戸枠の凹所や切欠に嵌め込んでも、配線用パッキンの存在が取付けの障害にならないことである。
【課題を解決するための手段】
【００１０】
本発明の受け金具における配線用パッキンは、ドア側に取り付けられる錠前の係合部材に対して戸枠側に嵌め込まれる受け金具を前提とし、また、該受け金具の側壁に固定され配線用パッキンであって、前記受け金具は、少なくとも前記側壁に前記配線可動用の案内長孔或いは案内切欠を有するトロヨケと、該トロヨケの開口部に設けられるストライクと、トロヨケ内に配設されると共に前記係合部材の進入信号を取得する信号検出手段を備え、さらに、前記パッキンは、前記側壁の外面に固定され、かつ、前記配線の可動を許容するスリットを有するシート状の弾性体であることを特徴とする。
【００１１】
ここでの「係合部材」には、ラッチ、デッドボルト及びこれらに類似するものが含まれる。
【発明の効果】
【００１２】
（１）本発明は、たとえばドアラッチの係合面を受け止めかつドアと戸あたりとの隙間を調整するためのスライドボックス（たとえば特開平７−１５８３２５号公報に記載のスライドボックス２１）、可動型ストライクを構成する可動コアの端部に設けられた保持片（非特許文献４）などの可動片が、トロヨケの内面に沿って、或いは一側内面側に若干移動しても問題がない（たとえば信号線が可動片の移動する方向に移動する）。付言すると、信号線（配線）Ｓの存在が、可動片の移動を阻害しない。また、サッシ型戸枠の凹所や切欠に嵌め込んでも、配線用パッキンの存在が取付けの障害にならない。
（２）請求項２に記載の発明は、信号線（配線）Ｓが移動しても、パッキンの機能を十分に発揮させることができる。
（３）請求項３、信号線（配線）Ｓは保持片を介して移動するから、発明の初期の目的を確実に達成することができる。
（４）請求項４に記載の発明は、取付けや部品交換が非常に簡単である。
【発明を実施するための最良の形態】
【００１３】
以下、図１乃至図６に示す本発明を実施するための最良の形態（第１実施例）により説明する。この第１実施例は、配線用パッキンを固定型ストライクの受け金具Ｘに適用した一例である。
【００１４】
（１）発明の実施の環境
図１は発明の実施の環境を示す概略説明図である。図１に於いて、まず、Ｘはドア側に取り付けられる錠前の係合部材ａに対して、戸枠側に嵌め込まれる受け金具である。次に、Ｙは該受け金具Ｘの一側壁の外面に固定される配線用パッキンである。本発明の基本的構成は、受け金具Ｘの内部構造の特徴点の有無やストライクが可動するか否かに拘らず、一側壁に配線可動用の案内長孔或いは案内切欠を有するトロヨケ１と、該トロヨケの開口部に設けられるストライク２と、トロヨケ内に配設されると共に、錠前の係合部材ａの進入信号を取得する信号検出手段９とを備えている。
【００１５】
（２）トロヨケ１
例えば図２、図３で示すように、トロヨケ１の形状は普通一般のそれと同様である。すなわち、トロヨケ１の各部分を区分けすると、ドア用枠の縦枠にスッポリトと入り込む正面開口のケース部５と、このケース部５の前側開口４の上下端部にそれぞれ一体形成された突片状取付け片７，７とから成り、前記取付け片７，７には不番の貫通孔が形成されている。ここでは、５ａを左右の側壁、５ｂを底壁（後壁）、５ｃを上壁、そして、５ｄを下壁とする。
【００１６】
しかして、トロヨケ１の底壁５ｂには、中央部から下部に至るまで、縦長の切欠状開口（底壁開口）６が形成されている。この底壁開口６には、取付けベース板８を介して信号検出手段（スイッチ部材）９が位置付けられる。
【００１７】
付言すると、信号検出手段９の一例としてのマイクロスイッチが、底壁５ｂの外面に複数個の不番の固着具及び取付けベース板８を介して、トロヨケ１のケース部５の内部に配設される。１０は一側壁、本実施例では下壁５ｄに形成された配線可動用の案内長孔或いは案内切欠である。
【００１８】
（３）信号検出手段９
ここで、図２を参照にして信号検出手段（スイッチ部材）９の構成を簡単に説明する。１１はベース板８の内面の下端部側に固定された端面Ｚ型形状の内装支持片で、該内装支持片１１は取付けベース板８の外側（逆側）から固着具１２を介して取り外し可能に固定される。
【００１９】
１３はマイクロスイッチ本体で、このマイクロスイッチ本体１３は、取付けベース板８の一側面（内面）８ａに固定された不番のバネ受け片と前記支持片１１との間にサンドイッチ状に設けられている。そして、マイクロスイッチ本体１３には信号線（配線）Ｓの内端部が接続されている。信号線Ｓは、配線可動用の案内長孔或いは案内切欠１０及びシート状の弾性体（配線用パッキン）Ｙを介して外へと導かれる。
【００２０】
１４は、その基端部が内装支持片１１に横設軸架された支軸１５に設けられ、かつ、自由端部１４ａが錠前の係合部材ａを受ける長板状の可動接触片（可動接片）である。この可動接片１４は、不番の付勢バネのバネ力に抗して後退動可能である。
【００２１】
（４）固定ストライク２
図１を参照にして、固定ストライク２を簡単に説明する。本実施例の固定ストライク２は、普通一般のそれと異なる点はない。したがって、固定ストライク２は、上下に固着具用の取付け孔２ａ，２ａを有すると共に、中央部に係合部材ａの受け入れ口２ｂが形成されている。
【００２２】
（５）パッキン…弾性体
本実施例のパッキンＹは、ゴム、合成樹脂材でシート状に形成された弾性体である。このパッキン（弾性体）Ｙは、図３、図４で示すように、たとえばＩ字形状或いはＨ形状に切り込み形成されたスリット１７を有する。
【００２３】
したがって、切り込み箇所には、一組の弾性変位可能な挟持部分１８．１８が設けられている。たとえば図１で示すように、パッキンＹは、ケース部の下壁５ｄの外面に接着層を介して貼着される。その結果、パッキンＹのスリット１７は、下壁５ｄの配線可動用の案内長孔或いは案内切欠１０内に位置付けらける。また、挟持部分１８，１８を含むパッキンＹは、たとえば軟質性の合成樹脂材で矩形状に形成された「薄い樹脂シート（たとえば厚さ０．８ｍｍ程度）」であり、望ましくは、材質自体の弾性復帰力により、直ちに元の保持状態を確保するための働き（弾性復帰変形機能）と、信号線Ｓの動きに対応して弾性変形する働き（弾性変形機能）の両方を有している。
【実施例】
【００２４】
この欄では、図７乃至図１１を参照にして第２実施例を説明する。この第２実施例は、パッキン（弾性体）Ｙは、第１実施例と同一である反面、受け金具Ｘ１として多数の特徴点が存在する。しかし、多数の特徴点に関する詳細な説明は省略し、本発明の特定要件との関係で、特に第１実施例と主に異なる点について説明する。なお、第１実施例と同一の部分には、同一の符号を付して重複する説明を割愛する。
【００２５】
まず、第２実施例が第１実施例と主に異なる点は、ストライク２Ａが可動型である点、また可動型ストライク２Ａにカバープレート４０、前板３０等を介して一体的に設けられた保持片５０が、トロヨケ１Ａの内面をスライドすることができると共に、信号線Ｓを案内する挿通孔５１を有する点である。次に、トロヨケ１Ａから各部材を個別的に説明する。
【００２６】
（ａ）トロヨケ１Ａ
図７で示すように、トロヨケ１Ａのケース部５Ａの左右の側壁５ａの上下の部位には、左右一対の保持ピン逃し用切欠部１９，１９がそれぞれ計４個形成されている（手前の左側壁の一部は省略）。
【００２７】
矩形状切欠部１９の縁は、図１１で示すように、それぞれ上下一対の可動コア用保持ピン（係合ピン）２１，２１と係合する。これらの切欠部１９の縁は、通常の使用状態では、保持ピン２１の外周面と一部係合する。
【００２８】
（ｂ）可動ストライク２Ａ
図１１、図８を参照にして可動ストライク２Ａを説明する。この実施例の可動ストライク２Ａは、図８に示すカバープレート４０、前板３０、可動コア２０及び保持片５０を含む概念である。可動ストライク２Ａとカバープレート４０等は別個に成形された部材であるが、単数或いは複数個の不番の固着具を介して一つのユニットを構成している。したがって、可動ストライク２Ａは、たとえば図９に示す位置から図１０に示す位置へと移動可能である。
【００２９】
さて、可動ストライク２Ａの形状は、第１実施例の固定ストライク２と相違するが、ストライクとしての機能は同一である。
【００３０】
次に、カバープレート４０は、図８で示すように、上下に固着具用の取付け孔４１を有すると共に、トロヨケ１Ａの前側開口４と同様に縦長開口４２を有している。
【００３１】
次に、前板３０は、上下幅広部分の端部をそれぞれ折り曲げて形成した上下端板３１，３１と、前板の縦方向の一辺を折り曲げて形成した側端板３２とを有し、その他不番の切欠、固着具用孔等が適宜箇所に形成されている。
【００３２】
（ｃ）可動コア２０
次に可動コア２０について説明する。可動コア２０は、前方から後方へと開口２３を有する箱型形状に形成されている。したがって、不番の上下の垂直正面壁、上下の水平壁、左右の対向側壁、上の正面壁と対向する上の垂直後壁（背面）等を有する。なお、第２実施例も第１実施例と同様に信号検出手段（スイッチ部材）９が存在することから、図１１で示すように、可動コア２０の垂直後壁（背面）は存在しない。
【００３３】
ところで、上下の水平壁は、上下の保持板５０に対して取付け板の機能を有する。したがって、これらの壁には、例えば不番の固着具用のネジ孔がそれぞれ形成されている。また左右の側壁には、保持ピン用挿通孔２２がそれぞれ形成されている。その他可動コア２０の細部的事項についての説明は割愛する。
【００３４】
（ｄ）上下の保持板５０
上下の保持板５０は、図１１で示すように、トロヨケ１Ａの上下の内壁面と可動コア２０の水平上下壁との間に設定された上下の空隙部内にそれぞれ位置するように線対称状態に配設されている。保持板５０は、上下一対で「一組」を構成し、たとえば断面釣り針状、への字形状その他任意の形状に形成されている。
【００３５】
しかして、各保持板５０には、信号線Ｓを案内する挿通孔５１が形成されている。この挿通孔５１は信号線Ｓを保持する機能を有する。そして、各保持板５０の基端部は、可動コアの水平上下壁に固定手段（例えばオネジ）５４を介してそれぞれ固定され、かつ、フック状或いは折り曲げ状先端部は、トロヨケ１Ａの上下の内壁面にそれぞれ当接する。なお、上下一組の保持板５０の先端部は、少なくとも可動コア２０の動きに対応する弾性変形可能と弾性復帰変形機能をする。
【００３６】
また、信号検出手段９は、磁気感応型その他のスイッチ部材であっても良い。
【産業上の利用可能性】
【００３７】
本発明は、主に建具、錠前等の業界で利用される。
【図面の簡単な説明】
【００３８】
図１乃至図６は本発明の最良の実施例（第１実施例）を示す各説明図。図７乃至図１１は本発明の最良の実施例（第２実施例）を示す各説明図。
【図１】第１実施例の実施形態を示す概略説明図（通常の使用状態）。
【図２】主たる部材（トロヨケ、ストライク、パッキン、取付けベース板、信号検出手段）を分解した状態の説明図。
【図３】トロヨケ、取付けベース板およびパッキンの斜視からの説明図（裏側から見た分解斜視図）。
【図４】図４の（ａ），（ｂ）は、トロヨケとパッキンとの関係を示す説明図。
【図５】図５の（ａ），（ｂ）は、パッキンと信号線との関係を示す説明図。
【図６】パッキンが弾性体である旨の概略説明図。
【図７】第２実施例のトロヨケ及びパッキンの説明図。
【図８】主な部材（特に可動ストライクを構成する各部材）の分解斜視図。
【図９】図１１の主要部の拡大説明図。
【図１０】可動ストライクがトロヨケの底壁側へ移動した場合の説明図。
【図１１】第２実施例の実施形態を示す概略説明図（通常の使用状態）。
【符号の説明】
【００３９】
ａ…係合部材、Ｘ，Ｘ１…受け金具、Ｙ…パッキン（弾性体）、1，１Ａ…トロヨケ、２，２Ａ…ストライク、５，５Ａ…ケース部、５ｂ…底壁（後壁）、５ｄ…下壁、４…前側開口、６…底壁開口、８…取付けベース板、９…信号検出手段（スイッチ部材）、１０…案内長孔或いは案内切欠、１３…マイクロスイッチ本体、Ｓ…信号線（配線）、１７…スリット、１８…挟持部分、１９…保持ピン逃し用切欠部、２０…可動コア、２１…保持ピン、２２…保持ピン用挿通孔、３０…前板、４０…カバープレート、５０…保持片、５１…挿通孔。
【図１】
2008008064.tif 000003
【図２】
2008008064.tif 000004
【図３】
2008008064.tif 000005
【図４】
2008008064.tif 000006
【図５】
2008008064.tif 000007
【図６】
2008008064.tif 000008
【図７】
2008008064.tif 000009
【図８】
2008008064.tif 000010
【図９】
2008008064.tif 000011
【図１０】
2008008064.tif 000012
【図１１】
2008008064.tif 000013
【手続補正書】
【提出日】平成18年7月3日(2006.7.3)
【手続補正１】
【補正対象書類名】図面
【補正対象項目名】図３
【補正方法】変更
【補正の内容】
【図３】
2008008064.tif 000014